(57)【要約】【課題】  手指による押込力により挿し込むだけの作業要領で、環状部分のオモテ側に装飾部を容易に装飾（模様）の向きを調整しながら取付けることができる、装飾部（飾部）をオモテ側に設け易くする工夫を施したアメリカンホック用留環及びこれを使った装飾部付アメリカンホックを提供する。【解決手段】  取付軸が設けられた装飾部と、取付軸の挿込孔及び銜止片が設けられたアメリカンホック本体部とにより構成され、装飾部は、挿込孔に取付軸を挿し込むことでアメリカンホック本体部に取付けられ、また、アメリカンホック本体部は、多数枚の係止脚が内周縁に所定の間隔で設けられた環状部分により衣服等取付物に取付けられたことを特徴とする。【選択図】        図２
2008284131.tif 000002
【特許請求の範囲】
【請求項１】
アメリカンホックを衣服等取付物に取付けるのに用いられる、環状部分の裏面に多数枚の刺し脚が設けられたアメリカンホック用留環に関するものであって、前記環状部分には取付軸付き装飾体を取付けるための板バネが固定され、該板バネには前記取付軸の挿込孔が設けられ、かつ、該挿込孔の縁には切込を所定の間隔で設けることにより多数枚の銜止片が形成され、これら銜止片により前記取付軸が周囲から抜去不能に銜え留められたとき、前記装飾体が取付状態に維持されることを特徴とするアメリカンホック用留環。
【請求項２】
多数枚の刺し脚が設けられた留環を用いてホック本体を衣服等取付物に取付けるアメリカンホックに関するものであって、取付軸が設けられた装飾部と、取付軸の挿込孔及び銜止片が設けられたアメリカンホック本体部とにより構成され、装飾部は、挿込孔に取付軸を挿し込むことにより取付けられ、また、アメリカンホック本体部は、前記多数枚の刺し脚により衣服等取付物に取付けられたことを特徴とする装飾部付アメリカンホック。
【請求項３】
アメリカンホック本体部と、アメリカンホック本体部の外面に固定される装飾部と、アメリカンホック本体部に装飾部を固定する固定部とにより構成され、アメリカンホック本体部は、外周部に内向きに開口する凹溝が設けられたホック主体と、取付個所にオモテ側から突き刺されて先端がウラ側に突出され、かつ、該突出部が前記凹溝に押込み曲げられることでホック主体を取付個所に取り付けるための多数枚の刺し脚が内周縁に所定の間隔で設けられた環状部分とにより構成され、また、装飾部は、装飾主体と該装飾主体に設けられた取付軸とにより構成され、また、固定部は、環状部分に固定された板バネ部材と、該板バネ部材に設けられた取付軸の挿込孔と、該挿込孔の開口縁に所定の間隔で設けられた多数枚の銜止片とにより構成され、装飾主体は、取付軸が挿込孔に挿し込まれたとき、該取付軸が前記銜止片により銜え止められることで、前記環状部分のオモテ側に固定されたことを特徴とする装飾部付アメリカンホック。
【発明の詳細な説明】
【技術分野】
【０００１】
本発明は、オモテ側に装飾部（飾部）を設け易くする工夫を施したアメリカンホック用留環及びこれを使った装飾部付アメリカンホック（別称；リングホック）に関する。具体的には、手指による押込力により挿し込むだけの作業要領で、環状部分のオモテ側に装飾部を容易に装飾（模様）の向きを調整しながら取付けることができるアメリカンホック用留環及びこれを使った装飾部付アメリカンホックに関する。
【背景技術】
【０００２】
この種のアメリカンホックは、これを取付けた衣服等取付物に所謂ホツレの発生が少ないということで多く使用されているが、本発明のようにオモテ側に装飾部を備えている形式のアメリカンホックはその種類が必ずしも多くはなく、例えば「特許文献１」に「アメリカンホック型玉飾り」が開示されているし、図８に示すような、留環に装飾部をカシメ止手段により固定された「アメリカンホック」も提供されている。しかしながら、これらは、いずれも美感、高級感に優れているとは言えないものであった。そのようなことから、美観、高級感に優れた製品への要望が多くあった。
【０００３】
前記「特許文献１」に開示の「アメリカンホック型玉飾り」は、より複雑な凹凸模様を備えた製品の提供には向いていないし、図８に示すような形式の「アメリカンホック」は、外周のカシメ用立上り縁１や装飾部２に取付工具やジグ等を押し当てた状態で外圧を加える取付過程を経ることにより製造にされていた。このため、カシメ用立上り縁１や装飾部２にキズや変形、破損等損傷ができた不良品が発生し易く、高い歩留まりを望めないものであった。また、メーカーでは、キズや変形、破損等損傷を回避できるように構成された比較的割高な治工具を準備する必要があるのみならず、斯かる治工具の種類及び個数が自然に増加するから、その保管や管理費用等が増大する不都合が生じていた。また、常に生産方法を見直し、経験の少ない作業者でも質の高い仕事ができるような、使いやすい治工具製作に高度な技術が要求され、高い技術をもつ熟練者を確保しなければならない等の問題があった。
【０００４】
また、前記図８に示すような形式の「アメリカンホック」は、前記したように、外周のカシメ用立上り縁１や装飾部２に取付工具やジグ等を押し当てた状態、すなわちカシメ用立上り縁１や装飾部２はその装飾部分を取付工具やジグ等により隠した状態で外圧を加える取付過程を経ることにより製造する必要があり、カシメ用立上り縁１や装飾部２の正確な向き合わせ（いわゆる方向合わせ）が容易にはできないという難点があり、方向合わせが不揃いな製品が製造されてしまい易い欠陥があった。しかも、正確な向き合わせ状態を確保するための補正には、刺し脚の刺し位置を変える非能率的な作業が必要になるから生産性が必ずしも良くはなかった。
【０００５】
因みに、本願出願人は、オモテ側に装飾部を備えている形式のアメリカンホックにおいて、装飾部の取付軸を挿込孔に手指による押込力で挿し込むだけの要領により装飾部付アメリカンホックを完成できるように工夫されたアメリカンホックの構造について、先行技術を調査したが、関連する先行技術文献を見出すことができなかった。
【特許文献１】実用新案登録第３０７９５７１号公報
【発明の開示】
【発明が解決しようとする課題】
【０００６】
本発明は、前記のような実情に鑑みてなされたものであり、装飾部にキズや変形、破損等損傷を与える惧れがない手指による押込力により挿し込むだけの作業要領で、環状部分のオモテ側に装飾部を容易に取付けることができるように工夫された新規な構成の、アメリカンホック用留環及びこれを使った装飾部付アメリカンホックを提供することを目的とする。
【課題を解決するための手段】
【０００７】
前記目的を達成するために、請求項１に係るアメリカンホック用留環は、アメリカンホックを衣服等取付物に取付けるのに用いられる、環状部分の裏面に多数枚の刺し脚が設けられたアメリカンホック用留環に関するものであって、前記環状部分には取付軸付き装飾体を取付けるための板バネが設けられ、該板バネには前記取付軸の挿込孔が設けられ、かつ、該挿込孔の縁には切込を所定の間隔で設けることにより多数枚の銜止片が形成され、これら銜止片により前記取付軸が周囲から抜去不能に銜え留められたとき、前記装飾体が取付状態に維持されることを特徴とする。
【０００８】
したがって、この請求項１の発明によれば、装飾部に設けられた取付軸を板バネに設けられた挿込孔に対して押込むことで、すなわち装飾部にキズや変形、破損等損傷を与える惧れが少ない若しくはない手指による押込力により挿し込むだけの作業要領で、環状部分のオモテ側に装飾部を容易に取付けることを可能にするアメリカンホック用留環を簡易に提供できるし、これを使った装飾部付アメリカンホックを提供できる。
【０００９】
請求項２に係る装飾部付アメリカンホックは、多数枚の刺し脚が設けられた留環を用いてホック本体を衣服等取付物に取付ける装飾部付アメリカンホックに関するものであって、取付軸が設けられた装飾部と、取付軸の挿込孔及び銜止片が設けられたアメリカンホック本体部とにより構成され、装飾部は、その取付軸を挿込孔に挿し込むことにより取付けられ、また、アメリカンホック本体部は、留環の内周縁に所定の間隔で設けられた多数枚の刺し脚により衣服等取付物に取付けられたことを特徴とする。
【００１０】
すなわち、前記請求項２の発明によれば、装飾主体に設けられた取付軸部をアメリカンホック本体部側に設けられた挿込孔に挿し込むだけという簡単、かつ容易な作業を施すことにより、前記衣服等取付物のオモテ側すなわち環状部分のオモテ側に装飾主体を取付けることができ、前記環状部分のオモテ側に装飾部を設けた製品を提供するという所期の目的を容易、かつ完全に達成することができる。しかも、該装飾部の取付状態は、挿込孔の開口縁に所定の間隔で設けられた多数枚の銜止片により取付軸が銜え止められて保持されるものであり、前記装飾部が外れてしまうような惧れが寸毫も無い製品を確実に提供できる。
【００１１】
請求項３に係る装飾部付アメリカンホックは、アメリカンホック本体部と、アメリカンホック本体部の外面に固定される装飾部と、アメリカンホック本体部に装飾部を固定する固定部とにより構成され、アメリカンホック本体部は、外周部に内向きに開口する凹溝が設けられたホック主体と、取付個所にオモテ側から突き刺されて先端がウラ側に突出され、かつ、該突出部が前記凹溝に押込み曲げられることでホック主体を取付個所に取り付けるための多数枚の刺し脚が内周縁に所定の間隔で設けられた環状部分とにより構成され、また、装飾部は、装飾主体と該装飾主体に設けられた取付軸とにより構成され、また、固定部は、環状部分に固定された板バネ部材と、該板バネ部材に設けられた取付軸の挿込孔と、該挿込孔の開口縁に所定の間隔で設けられた多数枚の銜止片とにより構成され、装飾主体は、取付軸が挿込孔に挿し込まれたとき、該取付軸が前記銜止片による銜え止めにより前記環状部分のオモテ側に固定されたことを特徴とする。
【００１２】
すなわち、前記請求項３の発明によれば、アメリカンホック本体部は、外周部に内向きに開口する凹溝が設けられたホック主体と、取付個所にオモテ側から突き刺されて先端がウラ側に突出され、かつ、該突出部が前記凹溝に押込み曲げられることでホック主体を取付個所に取り付けるための多数枚の刺し脚が内周縁に所定の間隔で設けられた環状部分とにより構成されているので、該アメリカンホック本体部はその取付個所に簡単・容易に且つ確実に固定できる。また、固定部は、前記環状部分に固定された板バネ部材と、該板バネ部材に設けられた取付軸の挿込孔と、該挿込孔の開口縁に所定の間隔で設けられた多数枚の銜止片とにより構成されているので、装飾部すなわち取付軸は、多数枚の銜止片により銜え止められて保持されるから確固たる装飾部の取付状態を確保できる。さらに装飾主体はその取付軸が多数枚の銜止片により銜え止められて前記環状部分のオモテ側に固定されるから、濫りに外れることがない。
【発明の効果】
【００１３】
本発明によれば、環状部分や装飾部にキズや変形、破損等損傷を与える惧れが極めて少ない手指による単純な挿込み作業（圧しこみ作業）により、取付個所のオモテ側すなわち環状部分のオモテ側に装飾主体を容易に取付けられる新規な構成の、装飾部付きアメリカンホックを提供することができる。
【００１４】
しかも、該装飾部の取付状態は、挿込孔の開口縁に所定の間隔で設けられた多数枚の銜止片により取付軸が銜え止められて保持されるものであり、装飾部が外れてしまうような惧れが寸毫も無いものである。
【００１５】
また、たとえば、前記挿込み作業（圧しこみ作業）の途中において装飾主体を適宜回してその模様の向きを正しい向きに補正してから、最後まで前記挿込み作業（圧しこみ作業）を行うことで装飾主体を正しい向きに取り付けることができ、模様の向きに不揃いのない衣料品等製品を容易に提供できる。
【発明を実施するための最良の形態】
【００１６】
以下、図１乃至４に基づいて本発明の実施の形態を説明する。なお、図１は本発明の実施の形態に係る装飾部付雄型アメリカンホック１０aを装飾部の取付前の状態で示す分解断面図であり、図２は本発明の実施の形態に係る装飾部付雄型アメリカンホック１０aと従来知られている装飾部無し雌型アメリカンホック１０bとをセットで示す組付断面図であり、図３は図１Ａ−Ａ線に沿う断面図であり、図４は、本発明の実施の形態に係る装飾部付雄型アメリカンホック１０aの分解断面図である。
【００１７】
この実施の形態に係る装飾部付きアメリカンホック１０aは、アメリカンホック本体部１１と、該アメリカンホック本体部１１の外面に固定される装飾部１２と、該装飾部１２を前記アメリカンホック本体部１１に固定する飾固定部１３とにより構成されている。
【００１８】
前記アメリカンホック本体部１１は、取付個所１４のウラ面１４aに接する面の外周部に内向きに開口する凹溝１５が設けられた雄型ホック主体１６aと、前記取付個所１４にオモテ面１４bから突き刺されて先端がウラ面１４aに突出され、かつ、該突出部１７が前記凹溝１５に押込み曲げられることで前記取付個所１４に前記雄型ホック主体１６aを取り付けるための多数枚の刺し脚１８が内周縁に所定の間隔で設けられた環状部分１９とにより構成され、該環状部分１９には前記飾固定部１３が設けられ、この飾固定部１３には前記装飾部１２が取付けられている。
【００１９】
前記装飾部１２は、装飾主体２０と、該装飾主体２０に設けられた取付軸２１とにより構成されている。
【００２０】
前記飾固定部１３は、前記アメリカンホック本体部１１の環状部分１９に固定された板バネ部材２２と、該板バネ部材２２に設けられた前記取付軸２１の挿込孔２３と、該挿込孔２３の開口縁に切込２３aを所定の間隔で設けることにより形成された多数枚の銜止片２４とにより構成されている。なお、前記板バネ部材２２は、環状部分１９の外周縁に立設されたカシメ縁１９aによりカシメ止められている。
【００２１】
前記装飾主体２０は、前記取付軸２１が前記挿込孔２３に挿し込まれたとき、該取付軸２１が前記銜止片２４により銜え止められることで前記取付個所１４のオモテ側すなわち環状部分１９のオモテ側に取付けられる。この装飾主体２０は、前記取付軸２１が前記挿込孔２３に挿し込まれることで前記銜止片２４が該挿し込み方向に逆らう向きになる該銜止片２４の逆止機能を受けることにより抜け外れ不能に取付けられるから、抜け外れを起す惧れがない。要するに、取付軸２１が抜き方向への力を受けて抜けようとするほど銜止片２４は、取付軸２１の喰らい付くような状態になるから抜け外れが起き難くなる。
【００２２】
前記装飾部１２の取付は、先ず、取付軸２１の尖端を挿込孔２３に押し込んで位置合せ及び模様の方向合せを行ったのち、装飾主体２０の頂部に手指を当て該手指の力で押し込むことにより完了できる。すなわち、この装飾部１２の取付は、基本的には手指による押し込み作業により簡単且つ容易にできる。この場合、位置合せ及び模様の方向合せは、少なくとも、前記装飾主体２０の頂部に手指を当てる直前には手指により邪魔されない視認容易な開放状態にできるので、たとえば、前記装飾部１２の模様が文字模様のように向きが重要視される、図７に示すような製品である場合には、前記した位置合せ及び模様の方向合せの補正が、手指により邪魔されない視認容易な状態でできるから、結果として模様の向きに不揃いがない良品を簡単に提供できる。
【００２３】
因みに、前記のように手指で作業する場合にあって、沢山の個数を続けて行ったために手に疲労・苦痛等が起きるような場合や、作業者が非力な場合には、図５に示すような治工具２５付き用具２５aや、ハンドプレス、その他の適宜工具等を使用しても可能であることは言うまでもない。また、前記銜止片２４の弾性の強弱を適宜調節して対処してもよいし、治工具２５及び用具２５aに工夫を施してもよい。ともあれ、手指による作業で前記装飾部１２の取付を行い得るようにすることが、前記損傷の回避には望ましい。
【００２４】
なお、図５は、同図に示すように、装飾主体２０を位置ズレしない状態に仮固定するための凹み部２６を先端にもち片手による加圧用の握り部２７を基端にもつ取付け用具２５aを用いて、前記装飾主体２０をさらに押圧することで前記取付軸２１を前記挿込孔２３に充分に押し込み、そして完了するようにされている様子を示している。この場合、前記凹み部２６をやや深めにして装飾主体２０の露呈面（頂面）に強く当らないようにされてさえいれば、キズ等損傷の発生を回避できるから、結果として良品を提供できる。同図において符号２５aは、凹み部２６に装填された治工具を示している。この治工具２５は、その下面が装飾主体２０の露呈面（頂面）と一致する凹凸形状にされていることが望ましい。
【００２５】
要するに、本発明は、前記実施の形態からも分かるように、装飾部１２の側には取付軸２１が設けられ、アメリカンホック本体部１１の側には前記取付軸２１の挿込孔２３と該挿込孔２３がその縁に有する銜止片２４とが設けられているものであり、アメリカンホック本体部１１に対する装飾部１２の取付は、取付軸２１を挿込孔２３に挿し込むことでなしうるようにされているものであるから、結果として、装飾部１２は、取付軸２１を挿込孔２３に挿し込む要領で簡単、かつ容易に取付けることができる。
【００２６】
しかも、本発明によれば、図７に示すような、向きが重要視される模様１２aと、周囲のリング模様１２bとからなるツートーン模様（ツートーンカラー）を備えたアメリカンホックを容易に且つ簡単に提供できる。
【００２７】
さらに、本発明によれば、異なる装飾主体２０を取付けた多種類の衣服等取付物を少量・多品種生産する工程で実施する場合、前記取付軸２１の挿込孔２３と該挿込孔２３の縁が有する銜止片２４とが設けられているアメリカンホック本体部１１を取付けた衣服等取付物の大量数と、異なる装飾主体２０をもつ装飾部１２の少量数とを予めそれぞれストックして置けば、例えば、急ぎで衣服等取付物の少量注文がある場合、短納期で対応できるようになるから好適であるのみならず異なる装飾主体２０をもつ装飾部１２の在庫を大幅に少減できるメリットがあり、経済的効果も大きい。
【００２８】
また、図６は、所謂飾り（ダミー）用のホックとして主に使用される雌型アメリカンホック２８を示している。この雌型アメリカンホック２８は、前記実施の形態に係る装飾部付き雄型アメリカンホック１０aにおける雄型ホック主体１６aが雌型ホック主体１６bとされた点が異なるものであって、概ねにおいて、同様な構成であるので、同一の部位には同じ符号を付し、その詳細説明は省略する。
【００２９】
なお、図６において符号２９は、前記環状部分１９を露呈しないように隠すための化粧裾縁を示す。
【００３０】
また、図６に示す雌型アメリカンホック２８は、所謂飾り（ダミー）用のホックとして使用できるし、ホック本来の機能を果たすように構成されているものであるから、たとえば同図中仮想線で表している符号３０で示す、従来知られている雄型アメリカンホックとセットにして使用するようにすることも当然できる。この場合、該雄型アメリカンホック３０には、取付軸２１の逃げ用孔３１が設けられているものが好ましい。
【図面の簡単な説明】
【００３１】
【図１】実施の形態に係る装飾部付き雄型アメリカンホックを装飾部の取付前の状態で示す分解断面図である。
【図２】雄・雌のセットで示す組付断面図である。
【図３】図１Ａ−Ａ線に沿う断面図である。
【図４】雄型アメリカンホックの分解断面図である。
【図５】別異の工法を示す一部切截側面図である。
【図６】ダミーの雌型アメリカンホックを示す断面図である。
【図７】他の実施の形態に係る装飾部付き雄型アメリカンホックを示す平面図である。
【図８】従来例を示す断面図である。
【符号の説明】
【００３２】
１０a  実施の形態に係る装飾部付き雄型アメリカンホック
１０b  従来知られている装飾部無し雌型アメリカンホック
１１  アメリカンホック本体部
１２  装飾部
１２a  向きが重要視される模様
１２b  周囲のリング模様
１３  飾固定部
１４  取付個所
１４a  ウラ面
１４b  オモテ面
１５  凹溝
１６a  雄型ホック主体
１６b  雌型ホック主体
１７  突出部
１８  刺し脚
１９  環状部分
１９a  カシメ縁
２０  装飾主体
２１  取付軸
２２  板バネ部材
２３  挿込孔
２４  銜止片
２５  治工具
２６  凹み部
２７  握り部
２８  飾り用の雌型アメリカンホック
２９  化粧裾縁
３０  従来知られている雄型アメリカンホック
３１  逃げ用孔
【図１】
2008284131.tif 000003
【図２】
2008284131.tif 000004
【図３】
2008284131.tif 000005
【図４】
2008284131.tif 000006
【図５】
2008284131.tif 000007
【図６】
2008284131.tif 000008
【図７】
2008284131.tif 000009
【図８】
2008284131.tif 000010